(57)【要約】      （修正有）【課題】小径ディスクの挿入を確実に防止可能であり、小径ディスクを判別するためだけの機構を省略可能なディスク機構およびディスク再生装置を提供すること。【解決手段】大径ディスクのみの搬入を許容するディスク搬送機構１１であって、ディスクの外周縁部に当接する第１当接部３５を備える第１スライダと、ディスクの外周縁部に当接する第２当接部４５を備える第２スライダ４０と、第１スライダまたは第２スライダ４０のいずれかに設けられる規制突起と、ディスクガイドを備え、ボス部材５３２を備えるガイドアーム５０と、を具備し、当接部３５，４５との間の間隔は、小径ディスクの搬入の先端がディスクガイドに当接しても、当接部３５，４５の両方には同時に当接しない程度に設定され、規制突起は小径ディスクの搬入に際してボス部材５３２の回動を妨げる部位に設けられる。【選択図】図１
2009020956.tif 000002
【特許請求の範囲】
【請求項１】
大径ディスクと小径ディスクの２種類のディスクの中から、大径ディスクのみの搬入を許容するディスク搬送機構であって、
上記ディスクの搬入と交差する幅方向にスライド可能に設けられると共に、上記ディスクの外周縁部に当接する第１当接部を備える第１スライダと、
上記幅方向にスライド可能に設けられると共に、上記ディスクの外周縁部に当接する第２当接部を備える第２スライダと、
上記第１スライダまたは上記第２スライダのいずれかに設けられている規制突起と、
上記ディスクの搬入の先端側が係止されて当該ディスクの搬入をガイドするディスクガイドを備えると共に、支持軸を支点として回動し、かつボス部材が設けられているガイドアームと、
を具備し、
上記第１当接部と上記第２当接部との間の間隔は、上記小径ディスクの搬入の先端が上記ディスクガイドに当接しても、当該小径ディスクの外周縁部は上記第１当接部と上記第２当接部の両方には同時に当接しない程度に設定されていると共に、
上記ディスクガイドへの上記小径ディスクの衝突に伴って上記ガイドアームが回動させられる場合に、上記規制突起は上記ボス部材の上記支持軸を支点とする回動を妨げる部位に設けられている、
ことを特徴とするディスク搬送機構。
【請求項２】
前記第１スライダには、第１ラックギヤ部が設けられていると共に、前記第２スライダにも第２ラックギヤ部が設けられていて、
前記第１ラックギヤ部および前記第２ラックギヤ部は、共にピニオンギヤに噛み合いしていると共に、その噛み合いは当該ピニオンギヤの回転中心を挟んで反対側の部位で為されており、
前記第１スライダまたは前記第２スライダのうち少なくとも一方には、付勢手段によって前記第１スライダと前記第２スライダとを互いに近接させる向きの付勢力が与えられている、
ことを特徴とする請求項１記載のディスク搬送機構。
【請求項３】
前記第１当接部は、前記第１スライダに回動自在に取り付けられている駆動ローラであると共に、前記第２当接部は、前記第２スライダに回転しない状態で取り付けられている従動ローラであることを特徴とする請求項１または２記載のディスク搬送機構。
【請求項４】
前記第１スライダには、第１レバーが回動軸を支点として回動自在に取り付けられていると共に、この回動軸には前記駆動ローラが回動自在に軸支されていて、
上記第１レバーのうち前記駆動ローラが軸支されている部位よりも前記大径ディスクの搬入方向における手前側の部位には、前記駆動ローラよりも先に前記大径ディスクの外周縁部に当接する第１当接ピンが設けられていて、
前記第２スライダには、第２レバーが回動軸を支点として回動自在に取り付けられていると共に、この回動軸には前記従動ローラが非回転となる状態で取り付けられていて、
上記第２レバーのうち前記従動ローラが軸支されている部位よりも前記大径ディスクの搬入方向における手前側の部位には、前記従動ローラよりも先に前記大径ディスクの外周縁部に当接する第２当接ピンが設けられている、
ことを特徴とする請求項３記載のディスク搬送機構。
【請求項５】
前記駆動ローラと前記従動ローラのそれぞれは、弾性手段によって前記第１当接ピンと前記第２当接ピンの間の間隔を狭める向きの付勢力が与えられていることを特徴とする請求項４記載のディスク搬送機構。
【請求項６】
前記ガイドアームは、
先端に前記ディスクガイドが設けられていると共に前記大径ディスクの外周側に退避可能な円弧状に設けられている円弧アーム部と、
前記円弧アームに対して前記支持軸の円周方向において異なる向きに突出していると共に、突出の先端側に前記ボス部材が設けられているサブアーム部と、
を具備することを特徴とする請求項１から５のいずれか１項に記載のディスク搬送機構。
【請求項７】
請求項１から６のいずれか１項に記載のディスク搬送機構を具備すると共に、
一端側を支点として回動可能なアーム体と、このアーム体のうち他端側に回転自在に支持されると共に、前記大径ディスクを載置するターンテーブルと、上記アーム体のうち上記ターンテーブルの近傍の他端側の縁部から突出する摺動ピンと、を備えるディスク再生部と、
上記摺動ピンが摺動することにより、上記ディスク再生部を回動させて上記ターンテーブルの高さ位置を変動させるためのカム部と、前記ボス部材に衝突する壁部とを備え、前記ボス部材と前記壁部との衝突によって円弧状に回動させられるカム部材と、
前記カム部材に駆動力を与える駆動手段と、
を具備することを特徴とするディスク再生装置。
【請求項８】
前記カム部材の外周縁部には、弧状ギヤ部が設けられていて、この弧状ギヤ部は前記駆動手段が具備するギヤと接離可能に設けられていて、
前記ボス部材が前記壁部に衝突した後の前記カム部材の回動により、上記弧状ギヤ部は上記ギヤと噛み合って、前記カム部材を回動させる駆動力が付与される、
ことを特徴とする請求項７記載のディスク再生装置。
【請求項９】
前記サブアーム部には当接壁が設けられていると共に、前記カム部材には上記当接壁と係合するガイド壁が設けられていて、
前記カム部材が前記大径ディスクの搬入に伴って回動させられると、上記当接壁と上記ガイド壁とは係合させられると共に、
この係合により、前記ディスクガイドが前記大径ディスクの外周縁部から離れる向きに前記ガイドアームが回動させられる、
ことを特徴とする請求項７または８記載のディスク再生装置。
【発明の詳細な説明】
【技術分野】
【０００１】
本発明は、ディスク搬送機構およびこのディスク搬送機構を用いたディスク再生装置に関する。
【背景技術】
【０００２】
ディスク再生装置の中には、１２ｃｍの大径のディスク（以下、大径ディスクとする。）のみに対応し、８ｃｍの小径のディスク（以下、小径ディスクとする。）には未対応のタイプが存在する。そのようなタイプのディスク再生装置では、小径ディスクが内部に挿入されることによる不具合（例えば、小径ディスクを良好に搬送できずに取り出せなくなる、無理やり取り出そうとする際に、内部機器や小径ディスクの損傷を招く等）を防ぐことが望まれている。
【０００３】
ここで、特許文献１および特許文献２には、上述の問題解決を解決するために、小径ディスクが挿入できない方式が提案されている。
【０００４】
【特許文献１】特開平１１−１４９６８８号公報
【特許文献２】特開２００５−１８８４６号公報
【発明の開示】
【発明が解決しようとする課題】
【０００５】
ところで、上述の特許文献１および特許文献２によれば、小径ディスクであることを判別するために、専用の機構が必要となっている。そのため、ディスク再生装置の内部機構が複雑になると共に、専用の機構を設ける分だけコストがかかる、という問題がある。このようにコストがかさむと、大径ディスクのみに対応している専用機でありながら、大径ディスク／小径ディスクの両方に対応しているディスク再生装置と同等のコストがかかる、という問題がある。
【０００６】
本発明は上記の事情にもとづきなされたもので、その目的とするところは、小径ディスクの挿入を確実に防止できると共に、小径ディスクを判別するためだけの機構を省略することが可能なディスク搬送機構およびこのディスク搬送機構を用いたディスク再生装置を提供しよう、とするものである。
【課題を解決するための手段】
【０００７】
上記課題を解決するために、本発明は、大径ディスクと小径ディスクの２種類のディスクの中から、大径ディスクのみの搬入を許容するディスク搬送機構であって、ディスクの搬入と交差する幅方向にスライド可能に設けられると共に、ディスクの外周縁部に当接する第１当接部を備える第１スライダと、幅方向にスライド可能に設けられると共に、ディスクの外周縁部に当接する第２当接部を備える第２スライダと、第１スライダまたは第２スライダのいずれかに設けられている規制突起と、ディスクの搬入の先端側が係止されて当該ディスクの搬入をガイドするディスクガイドを備えると共に、支持軸を支点として回動し、かつボス部材が設けられているガイドアームと、を具備し、第１当接部と第２当接部との間の間隔は、小径ディスクの搬入の先端がディスクガイドに当接しても、当該小径ディスクの外周縁部は第１当接部と第２当接部の両方には同時に当接しない程度に設定されていると共に、ディスクガイドへの小径ディスクの衝突に伴ってガイドアームが回動させられる場合に、規制突起はボス部材の支持軸を支点とする回動を妨げる部位に設けられているものである。
【０００８】
また、他の発明は、上述の発明に加えて更に、第１スライダには、第１ラックギヤ部が設けられていると共に、第２スライダにも第２ラックギヤ部が設けられていて、第１ラックギヤ部および第２ラックギヤ部は、共にピニオンギヤに噛み合いしていると共に、その噛み合いは当該ピニオンギヤの回転中心を挟んで反対側の部位で為されており、第１スライダまたは第２スライダのうち少なくとも一方には、付勢手段によって第１スライダと第２スライダとを互いに近接させる向きの付勢力が与えられているものである。
【０００９】
さらに、他の発明は、上述の各発明に加えて更に、第１当接部は、第１スライダに回動自在に取り付けられている駆動ローラであると共に、第２当接部は、第２スライダに回転しない状態で取り付けられている従動ローラとしたものである。
【００１０】
また、他の発明は、上述の発明に加えて更に、第１スライダには、第１レバーが回動軸を支点として回動自在に取り付けられていると共に、この回動軸には駆動ローラが回動自在に軸支されていて、第１レバーのうち駆動ローラが軸支されている部位よりも大径ディスクの搬入方向における手前側の部位には、駆動ローラよりも先に大径ディスクの外周縁部に当接する第１当接ピンが設けられていて、第２スライダには、第２レバーが回動軸を支点として回動自在に取り付けられていると共に、この回動軸には従動ローラが非回転となる状態で取り付けられていて、第２レバーのうち従動ローラが軸支されている部位よりも大径ディスクの搬入方向における手前側の部位には、従動ローラよりも先に大径ディスクの外周縁部に当接する第２当接ピンが設けられているものである。
【００１１】
さらに、他の発明は、上述の各発明に加えて更に、駆動ローラと従動ローラのそれぞれは、弾性手段によって第１当接ピンと第２当接ピンの間の間隔を狭める向きの付勢力が与えられるものである。
【００１２】
さらに、他の発明は、上述の発明に加えて更に、ガイドアームは、先端にディスクガイドが設けられていると共に大径ディスクの外周側に退避可能な円弧状に設けられている円弧アーム部と、円弧アームに対して支持軸の円周方向において異なる向きに突出していると共に、突出の先端側にボス部材が設けられているサブアーム部と、を具備するものである。
【００１３】
また、他の発明は、上述の各発明に係るディスク搬送機構を具備すると共に、一端側を支点として回動可能なアーム体と、このアーム体のうち他端側に回転自在に支持されると共に、大径ディスクを載置するターンテーブルと、アーム体のうちターンテーブルの近傍の他端側の縁部から突出する摺動ピンと、を備えるディスク再生部と、摺動ピンが摺動することにより、ディスク再生部を回動させてターンテーブルの高さ位置を変動させるためのカム部と、ボス部材に衝突する壁部とを備え、ボス部材と壁部との衝突によって円弧状に回動させられるカム部材と、カム部材に駆動力を与える駆動手段と、を具備するものである。
【００１４】
さらに、他の発明は、上述の発明に加えて更に、カム部材の外周縁部には、弧状ギヤ部が設けられていて、この弧状ギヤ部は駆動手段が具備するギヤと接離可能に設けられていて、ボス部材が壁部に衝突した後のカム部材の回動により、弧状ギヤ部はギヤと噛み合って、カム部材を回動させる駆動力が付与されるものである。
【００１５】
また、他の発明は、上述の発明に加えて更に、サブアーム部には当接壁が設けられていると共に、カム部材には当接壁と係合するガイド壁が設けられていて、カム部材が大径ディスクの搬入に伴って回動させられると、当接壁とガイド壁とは係合させられると共に、この係合により、ディスクガイドが大径ディスクの外周縁部から離れる向きにガイドアームが回動させられるものである。
【発明の効果】
【００１６】
本発明によると、小径ディスクの挿入を確実に防止できると共に、小径ディスクを判別するためだけの機構を省略することが可能となる。
【発明を実施するための最良の形態】
【００１７】
以下、本発明の一実施の形態に係るディスク搬送機構１１、およびこのディスク搬送機構１１を用いたディスク再生装置１０について、図１から図１０に基づいて説明する。図１、図７および図８は、本発明のディスク再生装置１０の内部構成をそれぞれ示す平面図である。このディスク再生装置１０は、ＣＤ（Compact Disc）およびＤＶＤ（Digital Versatile Disc）等といったディスク１２（図６他参照）のうち、直径が１２ｃｍの大径ディスク１２を再生するものである。しかしながら、ディスク１２は、ＣＤ、ＤＶＤには限られず、ＣＤ−Ｒ、ＤＶＤ−Ｒ、ＤＶＤ−ＲＷ等の他の円盤形状を有する記録媒体でも良い。
【００１８】
また、以下の説明においては、ディスク１２のうち、直径が１２ｃｍの大径のディスクを大径ディスク１２ａとし、直径８ｃｍの小径のディスクを小径ディスク１２ｂとして説明する。しかしながら、両者を区別する必要がない場合には、単にディスク１２として説明する。
【００１９】
また、以下の説明では、上側（上方側）とは、大径ディスク１２ａが水平状態となる向きにディスク再生装置１０を配置したときに、後述するターンテーブル９１に対して大径ディスク１２ａが載置される側を指す。また、下側（下方側）とは、同じく、大径ディスク１２ａに対してターンテーブル９１が位置する側を指す。さらに、奥側とは、大径ディスク１２ａがディスク再生装置１０の内部に搬入される際の該大径ディスク１２ａの進行方向側を指し、手前側とは、大径ディスク１２ａが搬出される側を指す。
【００２０】
ディスク再生装置１０は、図１他に示すように、上シャーシ２０を具備している。上シャーシ２０は、下シャーシ２５に例えばネジ等を介して取付固定されている。また、上シャーシ２０は、本実施の形態では、後述するカム部材６０よりも上方側に位置するように設けられている。この上シャーシ２０には、ガイド溝２１が設けられている。ガイド溝２１には、後述するカム部材６０の突起体６５が挿入される。そのため、ガイド溝２１は、図１に示すように、ターンテーブル９１よりも手前側の部位に、当該ターンテーブル９１の回転中心を中心とする円弧状に設けられている。なお、ガイド溝２１は、所定の角度範囲（図１においては略６０度程度）だけ設けられている。大径ディスク１２ａの非挿入状態においては、突起体６５はガイド溝２１の左側端部に位置するように設けられている。
【００２１】
また、上シャーシ２０の下面側には、案内突起２２ａ，２２ｂが設けられている。案内突起２２ａ，２２ｂは、後述するカム部材６０の案内溝６４ａ，６４ｂに挿入される部分であり、大径ディスク１２ａの非挿入状態において、案内溝６４ａ，６４ｂの奥側に位置するように設けられている。また、案内突起２２ａ，２２ｂが案内溝６４ａ，６４ｂに挿入されると共に、突起体６５がガイド溝２１に挿入されている状態においては、カム部材６０の弧状ギヤ部６３は、ターンテーブル９１の中心から所定の径の円弧上に存在する状態となる。
【００２２】
また、下シャーシ２５は、上シャーシ２０よりも下方側に設けられている。この下シャーシ２５には、複数のガイド溝２６ａ〜２６ｅが設けられている。これらガイド溝２６ａ〜２６ｅは、ディスク再生装置１０の幅方向に沿って設けられていて、第１スライダ３０および第２スライダ４０のスライドを良好に案内可能に設けられている。なお、これらのガイド溝２６ａ〜２６ｅは、ガイドピン３１３，３２２，４１２，４２２が設けられる部位に対応して、設けられている。
【００２３】
下シャーシ２５には、ディスク挿入口２７が設けられていて、大径ディスク１２ａは、このディスク挿入口２７からディスク再生装置１０の内部に挿入可能となっている。なお、下シャーシ２５に対して、上シャーシ２０がダンパ／バネ等を介して支持される構成を採用しても良い。この場合には、不図示の切替機構により、上シャーシ２０の下シャーシ２５に対する、フローティング状態／固定状態の切り替えが可能となる。
【００２４】
上シャーシ２０のうち、手前側（ディスク挿入口２７側の近傍）には、第１スライダ３０と、第２スライダ４０とが設けられている。これらのうち、第１スライダ３０は、図１において第２スライダ４０よりも奥側に位置すると共に、第２スライダ４０よりも右側に位置している。また、第１スライダ３０は、第２スライダ４０よりも、右側に向かってスライドする部材である。この第１スライダ３０には、図２に示すように、長片部３１と、ローラ搭載部３２とを具備している。また、長片部３１とローラ搭載部３２との間には、上下方向に延伸する段差部３３が設けられている。
【００２５】
これらのうち、長片部３１は、ディスク再生装置１０の幅方向（大径ディスク１２ａの進行方向および高さ方向と直交する方向）に向かい延伸するように設けられている。長片部３１は、段差部３３の分だけ、ローラ搭載部３２よりも高い位置に設けられている。この長片部３１のうち、手前側の側縁には、所定寸法分だけ、ラックギヤ部３１１が設けられている。ラックギヤ部３１１は、後述するピニオンギヤ８０と噛み合って、当該第１スライダ３０に幅方向に向かう駆動力を与える。また、図１、図２に示すように、長片部３１のうち、その下面側であってラックギヤ部３１１の右側縁部よりも右側寄りの部位には、ボス部３１２が設けられている。ボス部３１２は、下方側に向かって所定の長さ寸法だけ突出している。このボス部３１２は、後述するカム部材６０の係合壁６８と当接する部分であり、この当接により大径ディスク１２ａの再生時に、当該第１スライダ３０が右側に押し広げられた状態を維持可能となっている。
【００２６】
また、長片部３１の下面のうち、図１、図２において左側の端部には、ガイドピン３１３が設けられている。このガイドピン３１３は、下面から下方に向かって突出形成されていて、ガイド溝２６ａに入り込む状態に設けられている。かかるガイドピン３１３がガイド溝２６ａに入り込むと共に、後述するガイドピン３２２がガイド溝２６ｂに入り込むことにより、第１スライダ３０のスライドが案内される状態となっている。
【００２７】
また、ローラ搭載部３２は、長片部３１と略直交する向き（図１では、大径ディスク１２ａの搬送方向）に向かって延伸している。また、図１では、ローラ搭載部３２は、手前側に突出して設けられているが、手前側に向かう長さ寸法は、長片部３１よりも短く設けられている。また、ローラ搭載部３２には、引っ張りバネ３４の一端側を取り付けるためのバネ係止部３２１が設けられている。引っ張りバネ３４は、付勢手段に対応すると共に、その他端側が下シャーシ２５に取り付けられていて、第１スライダ３０に対して、図１において左側に向かう付勢力を常時与えている。
【００２８】
このローラ搭載部３２にも、ガイドピン３２２が設けられている。ガイドピン３２２は、図２に示すように、ローラ搭載部３２の下面側のうち、手前側かつ右側の部位から下方に向かって突出形成されている。そして、このガイドピン３２２も、ガイド溝２６ｂに入り込む状態に設けられている。これらガイドピン３２２のガイド溝２６ｂへの入り込みにより、第１スライダ３０のスライドが良好に案内可能となっている。
【００２９】
このローラ搭載部３２には、第１レバー３５が取り付けられている。第１レバー３５は、ローラ搭載部３２に対して、回動軸３５ａを支点として回動自在に設けられている。この第１レバー３５は、回動軸３５ａから手前側および奥側に向かって徐々に幅寸法が狭くなる状態で延伸するプレート部３５１を有している。そして、このプレート部３５１のうち、手前側の部位には、第１当接ピンに対応する当接ピン３５２が設けられている。当接ピン３５２は、大径ディスク１２ａが当接する部分であり、上方に向かって突出して設けられている。
【００３０】
また、プレート部３５１のうち、奥側の部位には、摺動ボス３５３が設けられている。摺動ボス３５３は、プレート部３５１から下方に向かって突出するように設けられている。ここで、ローラ搭載部３２のうち、摺動ボス３５３が設けられている部位に対応する位置には、回り止め溝３２３が設けられている。回り止め溝３２３は、摺動ボス３５３が入り込む部分である。かかる入り込みにより、第１レバー３５の回動範囲が規制されている。また、摺動ボス３５３には、捻りコイルバネ３６（弾性手段に対応）の一端側が係止されている。ここで、ローラ搭載部３２のうち、手前側かつディスク再生装置１０の中央寄りの部位には、バネ係止部３２４が設けられていて、捻りコイルバネ３６の他端側が係止されている。かかる捻りコイルバネ３６により、第１レバー３５には、図１において時計回りの付勢力が与えられ、大径ディスク１２ａの非接触状態では当接ピン３５２が中央側に位置している。
【００３１】
なお、上述の捻りコイルバネ３６の付勢力は、大径ディスク１２ａの挿入を妨げない程度に設定されている。
【００３２】
また、回動軸３５ａには、第１当接部に対応する駆動ローラ３７が軸支されている。この駆動ローラ３７は、第１レバー３５とは別体的に回転自在に設けられている。なお、駆動ローラ３７の下方には、当該駆動ローラ３７と同軸となるように、ギヤ３８ａが設けられていて、このギヤ３８ａは、従動ギヤ３８ｂと噛み合っている。従動ギヤ３８ｂには、モータ１０１（図６参照）からの駆動力が、ギヤ等から構成される駆動力伝達手段により伝達される。そのため、モータ１０１の駆動力により、駆動ローラ３７が回転駆動させられるように設けられている。
【００３３】
また、ローラ搭載部３２のうち、奥側かつ右側の部位には、規制突起３２５が設けられている。この規制突起３２５は、後述するボス部材５３２と当接することで、後述するガイドアーム５０の回動を阻害する。
【００３４】
また、第２スライダ４０は、図１において第１スライダ３０よりも手前側に位置すると共に、第１スライダ３０よりも左側に位置している。また、第２スライダ４０は、第１スライダ３０よりも、左側に向かってスライドする部材である。図３等に示すように、この第２スライダ４０にも、長片部４１と、ローラ搭載部４２とが設けられていて、長片部４１とローラ搭載部４２との間には、上下方向に延伸する段差部４３が設けられている。また、長片部４１のうち、奥側の側縁には、上述のラックギヤ部３１１と同様のラックギヤ部４１１が設けられていて、長片部４１の下面側であってラックギヤ部４１１の右側端部よりもやや手前側の部位には、上述のガイドピン３１３と同様のガイドピン４１２が設けられている。このガイドピン４１２は、上述したガイド溝２６ｃに入り込む。
【００３５】
また、第２スライダ４０のローラ搭載部４２も、上述のローラ搭載部３２と類似する構成を有している。ただし、ローラ搭載部４２は、ディスク再生装置１０の奥側に向かって突出するように設けられている。なお、第２スライダ４０においては、ローラ搭載部４２に引っ張りバネ３４の端部は取り付けられていない。その代わり、第１スライダ３０が引っ張りバネ３４の付勢力を受けた場合、ピニオンギヤ８０の回転を介して、当該付勢力が伝達される構成となっている。
【００３６】
また、ローラ搭載部４２のうち、奥側の部位には、所定の長さ寸法を有するスイッチ当接壁４２１が設けられている。スイッチ当接壁４２１は、後述する第１検出スイッチ７０、または第１検出スイッチ７０と同時に第２検出スイッチ７１を押し込む部分である。なお、スイッチ当接壁４２１は、第１検出スイッチ７０と第２検出スイッチ７１とを同時に押し込むための長さ寸法を有するように構成されている。そのため、スイッチ当接壁４２１は、ローラ搭載部４２の他の部位よりも、右側に向かって突出するように設けられている。
【００３７】
また、ローラ搭載部４２にも、ガイドピン４２２が設けられている。なお、第２スライダ４０においては、上述のガイドピン４１２を含めて３つのガイドピン４１２，４２２が設けられていて、残りの２つがローラ搭載部４２に設けられている。具体的には、ローラ搭載部４２のうち手前側かつ左側の部位にガイドピン４２２ａが、奥側かつ左側の部位にガイドピン４２２ｂが設けられている。これらガイドピン４２２ａ，４２２ｂは、ガイド溝２６ｄ，２６ｅにそれぞれ入り込むように設けられている。
【００３８】
また、ローラ搭載部４２には、第１レバー３５と類似する第２レバー４５が取り付けられている。第２レバー４５も、回動軸４５ａを支点として回動自在に設けられている点で第１レバー４５と同一であり、上述したのと同様のプレート部４５１、当接ピン４５２（第２当接ピンに対応）、摺動ボス４５３を有している。また、ローラ搭載部４２には、上述したのと同様の回り止め溝４２３、バネ係止部４２４が設けられていて、上述したのと同様の捻りコイルバネ４６（弾性手段に対応）も設けられている。なお、捻りコイルバネ４６により、第２レバー４５には、図１において反時計回りの付勢力が与えられている。
【００３９】
また、回動軸４５ａには、第２当接部に対応する従動ローラ４７が取り付けられている。ここで、本実施の形態では、従動ローラ４７は、自在に回転できないように、固定的に設けられている。なお、従動ローラ４７は、ローラ搭載部４２に対して非回転となるように設けられているが、第２レバー４５に対して非回転となる（第２レバー４５と同様に回動する）状態としても良い。
【００４０】
次に、ガイドアーム５０について説明する。図１に示すように、ガイドアーム５０は、支持軸５１ａを介して、下シャーシ２５に回転自在に取り付けられている。このガイドアーム５０は、基本的には、大径ディスク１２ａの搬送中に、当該大径ディスク１２ａの先端側に当接して、大径ディスク１２ａの軌道を維持するための部材である。このガイドアーム５０は、図４に示すように、軸支部５１と、円弧アーム部５２と、サブアーム部５３と、を有している。
【００４１】
これらのうち、軸支部５１は、本実施の形態では、サブアーム部５３と一体的に設けられている。この軸支部５１は、支持軸５１ａ（図１参照）が挿入される挿通孔５１１を有する、略筒状体に設けられている。また、円弧アーム部５２は、図１、図８等に示すように、大径ディスク１２ａの外周側に倣う略円弧状に設けられている。円弧アーム部５２は、図８に示すように、大径ディスク１２ａの外周側に退避した際に、当該大径ディスク１２ａの外周側と所定の間隔を有するように設けられていて、大径ディスク１２ａの直径よりもやや大きな外径を有する円弧状に設けられている。また、この円弧アーム部５２は、本実施の形態では、略９０度の角度範囲に亘る円弧状に設けられている。
【００４２】
また、円弧アーム部５２のうち、軸支部５１から離間する先端側の部位は、やや下方に位置するように折れ曲がっていて、その折れ曲がった部位には、ディスクガイド５２１が設けられている。ディスクガイド５２１は、大径ディスク１２ａが挿入される際に、当該大径ディスク１２ａの外周縁部に当接して、大径ディスク１２ａのディスク再生装置１０内における高さ位置を定めるものである。なお、ディスクガイド５２１は、上方側が大径であると共に大径ディスク１２ａの外周縁部が当接する部位が小径となるような円筒形状を呈している。しかしながら、ディスクガイド５２１は、大径ディスク１２ａとの当接時に、高さ方向に滑らない程度の摩擦力を有する部材から形成されていても良い。
【００４３】
また、サブアーム部５３は、円弧アーム部５２よりも下方に位置するように設けられている。このサブアーム部５３は、図１における状態（大径ディスク１２ａの非挿入状態；このとき、ディスクガイド５２１が長片部３１と当接して位置決めされている。）においては、軸支部５１から手前側に突出するように設けられている。しかも、サブアーム部５３は、図１の状態においては、ローラ搭載部３２と干渉する部位まで延伸している。
【００４４】
このサブアーム部５３のうち、軸支部５１寄りの部位には、下面側から爪状に突出する爪部５３１が設けられていて、引き戻しバネ５４の一端側が掛け止めされている。また、引き戻しバネ５４の他端側は、下シャーシ２５のバネ係止部２８に掛け止めされている。かかる引き戻しバネ５４の存在により、ガイドアーム５０には、反時計回りの付勢力が与えられている。
【００４５】
また、サブアーム部５３のうち、手前側かつ左側の隅部には、ボス部材５３２が設けられている。ボス部材５３２は、サブアーム部５３の下面側から下方側に突出している。このボス部材５３２は、上述した規制突起３２５、および後述する壁部６２と衝突するが、ローラ搭載部３２の上面とは衝突しない程度の突出寸法に設けられている。ここで、大径ディスク１２ａの非挿入状態においては、ボス部材５３２は、支持軸５１ａを中心とする回動によって規制突起３２５と衝突するように、設置部位が設けられている。すなわち、第１スライダ３０が、引き戻しバネ５４の付勢力によって初期位置に位置している状態においては、ボス部材５３２が回動すると、規制突起３２５と衝突するように設けられている。それにより、ガイドアーム５０の回動は阻害される。
【００４６】
また、サブアーム部５３のうち、手前側かつ右側の隅部には、当接壁５３３が設けられている。この当接壁５３３も、ボス部材５３２と同様に、サブアーム部５３の下面から下方側に突出している。この当接壁５３３は、後述するカム部材６０のガイド壁６７に衝突して、ガイドアーム５０の退避状態を実現するための部位である。そのため、当接壁５３３は、カム部材６０の上面とは接触しない程度の突出長さを有している。
【００４７】
次にカム部材６０について説明する。図１、図５等に示すように、カム部材６０は、その平面形状が略三日月状のプレート部６１に、種々の凹凸部分が設けられている部材である。かかるカム部材６０のうち、プレート部６１の奥側寄りの部位には、壁部６２が設けられている。この壁部６２は、本実施の形態では、略Ｌ字に設けられていて、上述したボス部材５３２と当接する部位である。そして、この当接によって、カム部材６０は反時計回りに回動させられる。
【００４８】
また、図５に示すように、カム部材６０の外周縁部には、弧状ギヤ部６３が設けられている。弧状ギヤ部６３は、カム部材６０の奥側から所定の寸法だけ設けられている。また、弧状ギヤ部６３は、不図示のギヤと接離可能に設けられている。ここで、大径ディスク１２ａの非挿入状態においては、カム部材６０は、時計回り側の端部に位置しているが、上述したボス部材５３２が壁部６２と衝突して、カム部材６０が反時計回りに所定だけ回動させられると、弧状ギヤ部６３と不図示のギヤとが噛み合う。ここで、ギヤには、モータ１０１（図６参照）により、カム部材６０を反時計回りに回動させるための駆動力が伝達される。そのため、かかる噛み合い後、カム部材６０は、モータ１０１（不図示のギヤを含めて駆動手段に対応）の駆動力により反時計回りに回動させられる。
【００４９】
また、プレート部６１のうち、奥側の部位から反時計回りに所定長さだけ、第１案内溝６４ａが設けられている。第１案内溝６４ａは、プレート部６１を弧状に打ち抜いた溝状の部分であり、弧状ギヤ部６３に近接して設けられている。この第１案内溝６４ａには、上述した案内突起２２ａが挿入される。また、この第１案内溝６４ａと所定の間隔を空けて、第２案内溝６４ｂが設けられている。なお、第２案内溝６４ｂには、上述した案内突起２２ｂが挿入され、当該第２案内溝６４ｂの延伸の端部は、プレート部６１の時計回りの端部に近接しているが、それ以外の構成は、上述の第１案内溝６４ａと略同一であるため、その説明は省略する。
【００５０】
また、プレート部６１のうち、第２案内溝６４ｂよりも径方向の中央寄りの部位には、突起体６５が設けられている。突起体６５は、上述したガイド溝２１に挿入される部分である。なお、カム部材６０は、案内突起２２ａ，２２ｂが案内溝６４ａ，６４ｂを摺動すると共に、突起体６５がガイド溝２１を摺動することにより、ターンテーブル９１の回転中心を中心とする回動が実現される。
【００５１】
また、プレート部６１のうち、最も中央寄りの部位（内周縁部）には、隆起部６６が設けられている。この隆起部６６には、カム部６６１が設けられている。カム部６６１は、ディスク再生部９０のうち、ターンテーブル９１の下方側から延出する摺動ピン９２が入り込む凹形状の部分である。ここで、カム部６６１の凹形状は、内径側から外径側に向かうように設けられている。このカム部６６１は、下壁部６６１ａと上壁部６６１ｂとを有している。下壁部６６１ａと上壁部６６１ｂとは、共に、時計回りに向かうにつれて、高さ位置が高くなるように設けられている。しかしながら、下壁部６６１ａのうち、最も高さ位置が高い部位においては、上壁部６６１ｂが存在せずに開放する状態に設けられている。
【００５２】
このカム部６６１に摺動ピン９２が入り込んでいる状態で、カム部材６０が反時計回りに回動させられると、摺動ピン９２は、下壁部６６１ａによって持ち上げられていく。それにより、ディスク再生部９０は、上昇させられ、規定の再生位置まで持ち上げられる状態となる。
【００５３】
また、プレート部６１には、ガイド壁６７が設けられている。ガイド壁６７は、上述した当接壁５３３と当接する部分である。このガイド壁６７は、プレート部６１のうち、第１案内溝６４ａと第２案内溝６４ｂに隣接する内径側の部位に設けられている。しかも、ガイド壁６７は、第１案内溝６４ａの時計回りの後端部分から、第２案内溝６４ｂの時計回りの前端部分に差し掛かるように設けられている。このガイド壁６７は、時計回りの中途部分から、内径側に向かって所定だけ突出する（以下、この部位を内径突出部６７１とする。）ように設けられている。この突出長さは、ディスクガイド５２１の退避に対応している。すなわち、ガイド壁６７のうち、時計回りの中途部分までは、ディスクガイド５２１が大径ディスク１２ａの外周縁部に接触している状態となっている。しかしながら、内径突出部６７１に当接壁５３３が接触すると、当該内径突出部６７１が内径側に突出している分だけ、ガイドアーム５０は、ディスク再生装置１０の奥側に押し込まれる。それにより、ディスクガイド５２１が大径ディスク１２ａの外周縁部から所定だけ離間する、退避状態が実現される。
【００５４】
また、カム部材６０のうち、時計回りの最も後端側の部位には、係合壁６８が設けられている。係合壁６８は、上述した第１スライダ３０のボス部３１２と当接する部分である。すなわち、カム部材６０がモータ１０１の駆動力により、反時計回りに回動させられ、所定の停止部位に差し掛かると、係合壁６８は、ボス部３１２と衝突する部位に差し掛かる。一方、第１スライダ３０は、大径ディスク１２ａの挿入時に右側に移動させられるものの、引っ張りバネ３４の付勢力により、左側に引き戻されようとする。その引き戻しの付勢力により、ボス部３１２が係合壁６８に衝突するが、引っ張りバネ３４の付勢力は、カム部材６０を時計回りに回せるだけのものではない。そのため、ボス部３１２と係合壁６８との間の当接により、第１スライダ３０が右側に押し広げられた状態を維持可能となっている。
【００５５】
また、下シャーシ２５には、第１検出スイッチ７０および第２検出スイッチ７１が取り付けられている。これら第１検出スイッチ７０および第２検出スイッチ７１は、上述のスイッチ当接壁４２１の摺動によって押し込まれるスイッチである。ここで、第１検出スイッチ７０が押し込まれると、駆動ローラ３７を駆動させるためのモータ１０１が駆動させられ、カム部材６０を反時計回りに回動させる。また、第２検出スイッチ７１が押し込まれると、大径ディスク１２ａの排出が完了したと判断される。
【００５６】
また、下シャーシ２５のうち、第１スライダ３０のラックギヤ部３１１と第２スライダ４０のラックギヤ部４１１の間の部位には、ピニオンギヤ８０が回転自在に取り付けられている。このピニオンギヤ８０には、ラックギヤ部３１１，４１１が共に噛み合っている。そのため、第１スライダ３０と第２スライダ４０とは、左右均等となる速度で、幅方向に逆向きに移動可能となっている。
【００５７】
また、ディスク再生装置１０には、ディスク再生部９０が設けられている。ディスク再生部９０は、下シャーシ２５に対して、一端側（図１において奥側かつ左側）を支点として回動可能に設けられている。また、ディスク再生部９０は、その他端側がディスク再生装置１０の中央部まで延伸するように設けられている。そして、この他端側には、ターンテーブル９１が回転自在に取り付けられている。なお、ディスク再生部９０は、不図示の光ピックアップユニット、スピンドルモータ等を具備していて、これら光ピックアップユニット、スピンドルモータ等をも含めて一体的に回動可能となっている。
【００５８】
また、ディスク再生部９０の他端側の縁部は、カム部材６０と対向するように設けられている。そしてこの他端側の縁部からは、摺動ピン９２が突出している。摺動ピン９２は、上述したカム部６６１に入り込む部分である。そのため、この摺動ピン９２は、図１等に示すように、ディスク再生部９０の一端側から他端側に向かって延伸するように設けられている。
【００５９】
なお、以下の説明では、ディスク再生部９０のうち、摺動ピン９２が取り付けられている部位を、必要に応じてアーム体９３と称呼する。
【００６０】
また、本実施の形態では、図６に示すように、制御部１００が設けられている。制御部１００は、ディスク再生装置１０の全体の作動を司る部分である。なお、この制御部１００には、第１検出スイッチ７０および第２検出スイッチ７１からの検出信号が入力されると共に、当該制御部１００からモータ１０１に向けて、不図示のモータドライバ等を介して制御指令が出力される。
【００６１】
以上のような構成を有するディスク再生装置１０の動作について、以下に説明する。図７に示すように、大径ディスク１２ａをユーザが把持し、当該大径ディスク１２ａをディスク挿入口２７から挿入させると、当該大径ディスク１２ａの外周縁部は、当接ピン３５２，４５２に接触する。さらに、ユーザが大径ディスク１２ａをディスク再生装置１０の内部に押し込むと、第１レバー３５と第２レバー４５とは、回動軸３５ａ，４５ａを支点として回動させられる。このとき、第１レバー３５と第２レバー４５とには、それぞれ捻りコイルバネ３６，４６によって付勢力が及ぼされる。しかしながら、この捻りコイルバネ３６，４６の付勢力は、大径ディスク１２ａの挿入を妨げるものではないため、第１レバー３５と第２レバー４５とは、回動軸３５ａ，４５ａを支点として、当接ピン３５２，４５２が互いに離間する向きに回動させられる。
【００６２】
ここで、第１レバー３５は、摺動ボス３５３が回り止め溝３２３の左側端部に衝突するまで回動させられると共に、第２レバー４５は、摺動ボス４５３が回り止め溝４２３の右側端部に衝突するまで回動させられる。その状態で、さらにユーザが大径ディスク１２ａをディスク再生装置１０の内部に押し込むと、第１スライダ３０と第２スライダ４０とは、互いに離間する向きに移動させられる。
【００６３】
また、第２スライダ４０が左側に向かってスライドさせられると、スイッチ当接壁４２１は、第１検出スイッチ７０を押し込む状態となる。すると、検出信号が制御部１００に送信されるが、この制御部１００は、かかる検出信号に基づいて、モータ１０１を駆動させる。このモータ１０１の駆動により、駆動ローラ３７は、回転駆動を開始する。
【００６４】
また、スイッチ当接壁４２１が第１検出スイッチ７０を押し込んだ直後に、大径ディスク１２ａの挿入の先端側は、当初の当接ピン３５２，４５２のみに接触している状態から、駆動ローラ３７および従動ローラ４７にも接触する状態となる。ここで、引っ張りバネ３４の付勢力により、大径ディスク１２ａには、駆動ローラ３７と従動ローラ４７の両方に対して圧着する。その状態で、駆動ローラ３７が時計回りに回転すると、大径ディスク１２ａは、その駆動ローラ３７の回転に伴って、ディスク再生装置１０の奥側に搬送されていく。
【００６５】
また、大径ディスク１２ａの外周縁部が駆動ローラ３７と従動ローラ４７の両方に接触するのとほとんど同時に、当該大径ディスク１２ａの搬送の先端部分は、ディスクガイド５２１に接触する。この状態で、大径ディスク１２ａがディスク再生装置１０の内部に搬送されていくと、搬送の進行によって、ガイドアーム５０が、時計回りに回動させられる。この状態で暫く大径ディスク１２ａが進行して、大径ディスク１２ａがターンテーブル９１の搭載位置の付近に到達すると、ボス部材５３２が壁部６２と衝突する。そして、壁部６２を介して、カム部材６０は反時計回りに回動させられる。すると、弧状ギヤ部６３が不図示のギヤと噛み合う。
【００６６】
ここで、弧状ギヤ部６３が不図示のギヤと噛み合うのに先立って、当該不図示のギヤは、モータにより回転駆動させられている。具体的には、大径ディスク１２ａが搬送される場合、駆動ローラ３７と従動ローラ４７の間は、大径ディスク１２ａの直径と略等しくなる分だけ押し広げられる。それにより、スイッチ当接壁４２１は、第１検出スイッチ７０を押し込む。それにより、前述のようにモータ１０１が駆動させられていて、弧状ギヤ部６３が不図示のギヤと噛み合うと、カム部材６０に対して反時計回りに回動させる駆動力を与える。
【００６７】
カム部材６０が回動させられると、摺動ピン９２は、カム部６６１内を摺動する。その摺動により、摺動ピン９２は、下壁部６６１ａにより持ち上げられる。それにより、ターンテーブル９１は、上方に持ち上げられる。そして、図８に示すように、ターンテーブル９１が規定の位置まで持ち上げられると、不図示のクランパにより、大径ディスク１２ａは押さえ付けられ、大径ディスク１２ａがターンテーブル９１に載置される状態となる。
【００６８】
また、カム部材６０の回動が終了する前に、当接壁５３３は、内径突出部６７１と接触する。それにより、ガイドアーム５０は、奥側に退避させられ、大径ディスク１２ａの外周縁部に対する接触状態が解除される。なお、カム部材６０の回動の終端では、当該カム部材６０は不図示の検出手段を押し込む。それにより、モータ１０１の駆動は停止させられ、大径ディスク１２ａの搬入動作が終了する。また、カム部材６０の回動の終端では、係合壁６８がボス部３１２と当接する。それにより、第１スライダ３０と第２スライダ４０の押し広げ状態が維持可能となる。
【００６９】
続いて、小径ディスク１２ｂを挿入する場合について、説明する。図９に示すように、小径ディスク１２ｂをディスク挿入口２７から挿入すると、当該小径ディスク１２ｂは、駆動ローラ３７と従動ローラ４７の初期位置における間隔、当接ピン３５２と当接ピン４５２の間の間隔を容易に通過する。すなわち、小径ディスク１２ｂが挿入されても、第１スライダ３０と第２スライダ４０とは、押し広げられない。その状態で、さらに小径ディスク１２ｂを押し込むと、当該小径ディスク１２ｂの挿入の先端部分は、ディスクガイド５２１に接触する。そして、小径ディスク１２ｂは、ユーザの押し込み動作により、さらにディスク再生装置１０の内部に向かって進行しよう、とする。このとき、ガイドアーム５０は、当該押し込み動作に伴って、時計回りに回動しようとする。
【００７０】
しかしながら、図１０に示すように、ガイドアーム５０が回動しようとすると、ボス部材５３２が規制突起３２５と衝突する。しかも、この衝突では、ボス部材５３２は、第１スライダ３０を左向きかつ奥向きに移動させるための力を、当該第１スライダ３０に作用させる。そのため、ガイドアーム５０は、上述の衝突により、これ以上回動不能となる。それによって、小径ディスク１２ｂのそれ以上の搬入が不可能となる。
【００７１】
なお、ユーザが小径ディスク１２ｂの挿入に関する力を緩めると、引き戻しバネ５４の作用により、小径ディスク１２ｂには、手前側に排出される力が付与される。
【００７２】
このような構成のディスク再生装置１０によれば、第１スライダ３０には規制突起３２５が設けられていて、ガイドアーム５０にはボス部材５３２が設けられている。そして、小径ディスク１２ｂが搬入される際、小径ディスク１２ｂは当接ピン３５２，４５２や駆動ローラ３７、従動ローラ４７に付勢力を及ぼさないまま挿入され、小径ディスク１２ｂがディスクガイド５２１に衝突して、ガイドアーム５０を回動させよう、とする。
【００７３】
しかしながら、上述したように、ボス部材５３２が規制突起３２５に衝突することにより、ガイドアーム５０の回動は阻害される。そのため、小径ディスク１２ｂは、それ以上ディスク再生装置１０の内部に搬入できなくなる。すなわち、小径ディスク１２ｂの搬入を確実に防止することができ、小径ディスク１２ｂが取り出せなくなったり、無理やり小径ディスク１２ｂを取り出そうとして、ディスク再生装置１０の内部機器や小径ディスク１２ｂの損傷を招くのを確実に防止可能となる。
【００７４】
しかも、本実施の形態では、小径ディスク１２ｂの搬入を、非常に簡易な構成によって実現させている。すなわち、大径ディスク１２ａの搬入をガイドするガイドアーム５０を利用してボス部材５３２を設けると共に、ディスク１２の搬入を検出する第１スライダ３０、第２スライダ４０を利用して規制突起３２５を設けている。そのため、ディスク１２が小径ディスク１２ｂであることを判別するためだけに専用の機構を設けずに済み、その分だけコストが掛かるのを抑えることが可能となる。それにより、大径ディスク１２ａのみに対応している専用機でありながら、大径ディスク１２ａ／小径ディスク１２ｂの両方に対応しているディスク再生装置と同等のコストがかかる、という問題が生じるのを防止可能となる。
【００７５】
なお、ボス部材５３２は、カム部材６０の壁部６２に衝突させて、カム部材６０の弧状ギヤ部６３の噛み合いのための部分であり、かかるボス部材５３２を利用して、小径ディスク１２ｂの搬入を防止している。このため、非常に簡易な構成で、小径ディスク１２ｂの誤挿入を確実に防止可能としている。
【００７６】
さらに、第１スライダ３０には引っ張りバネ３４が連結されていて、第１スライダ３０と第２スライダ４０とが互いに閉じる向き（幅方向の中央側に向かう向き）にスライドさせられる。このため、大径ディスク１２ａの搬入時には、第１スライダ３０と第２スライダ４０とを、引っ張りバネ３４の付勢力に抗する状態で、互いに離間させることが可能となる。それにより、大径ディスク１２ａの搬入時には、規制突起３２５をボス部材５３２が回動する軌跡から退避させることが可能となり、大径ディスク１２ａの搬入の支障となることがない。また、引っ張りバネ３４の付勢力により、大径ディスク１２ａには、駆動ローラ３７および従動ローラ４７に圧着させるだけの力が与えられるため、駆動ローラ３７の駆動により、大径ディスク１２ａを良好に搬入させることが可能となる。
【００７７】
また、当接ピン３５２は第１レバー３５に設けられると共に、当接ピン４５２は第２レバー４５に設けられていて、大径ディスク１２ａの搬入に際しては、駆動ローラ３７および従動ローラ４７よりも先に、大径ディスク１２ａが当接ピン３５２，４５２に接触する。そのため、大径ディスク１２ａの搬入の最初のときに、当該大径ディスク１２ａが駆動ローラ３７、従動ローラ４７には接触しなくなり、当該接触のときには駆動ローラ３７を駆動させることが可能となる。
【００７８】
また、第１レバー３５と第２レバー４５のそれぞれには、捻りコイルバネ３６，４６によって、互いに近接する向きの付勢力が与えられている。このため、大径ディスク１２ａを搬入する場合、捻りコイルバネ３６，４６の付勢力に抗しながら、当該大径ディスク１２ａを搬入する状態となる。本実施の形態では、大径ディスク１２ａの搬入に際しては、特に、捻りコイルバネ３６，４６が、共に捻られてから、第１スライダ３０および第２スライダ４０がスライドさせられ、モータ１０１が駆動される。そのため、実際には大径ディスク１２ａの搬入の誤検出を防ぐことが可能となる。
【００７９】
さらに、ガイドアーム５０には、円弧アーム部５２の他に、ボス部材５３２が設けられているサブアーム部５３を具備する。そのため、円弧アーム部５２を大径ディスク１２ａの外周側に良好に退避させることが可能となると共に、ボス部材５３２を大径ディスク１２ａの搬入の支障にならない部位に設けることが可能となる。
【００８０】
また、本実施の形態では、カム部６６１を備えるカム部材６０が設けられている。そのため、摺動ピン９２がカム部６６１を摺動すれば、ディスク再生部９０を持ち上げることが可能となり、大径ディスク１２ａの搬入とターンテーブル９１の持ち上げを連動させることが可能となる。
【００８１】
また、壁部６２がボス部材５３２で押し込まれた後には、モータ１０１によりカム部材６０が回動させられる。特に、カム部材６０が回動させられた後には、ガイド壁６７と当接壁５３３とが係合し、ディスクガイド５２１が大径ディスク１２ａの外周側に退避させることが可能となると共に、係合壁６８とボス部３１２との係合により、第１スライダ３０および第２スライダ４０が互いに離間する開放状態を維持可能となる。
【００８２】
以上、本発明の一実施の形態について説明したが、本発明はこれ以外にも種々変形可能となっている。以下、それについて述べる。
【００８３】
上述の実施の形態においては、ボス部材５３２は、第１スライダ３０に設けられている規制突起３２５と衝突するように設けられている。しかしながら、第２スライダ４０側に規制突起３２５に対応する部材を設け、かかる部材とボス部材５３２との係合により、小径ディスク１２ｂの挿入を阻害するように構成しても良い。
【００８４】
また、上述の実施の形態では、第１スライダ３０側に駆動ローラ３７が設けられると共に、第２スライダ４０側に従動ローラ４７が設けられている。しかしながら、第１スライダ３０側に従動ローラを設け、第２スライダ４０側に駆動ローラを設けるように構成しても良い。
【００８５】
さらに、第１レバー３５には当接ピン３５２が設けられていると共に、第２レバー４５には当接ピン４５２が設けられているが、これら当接ピン３５２，４５２を省略する構成を採用しても良い。
【００８６】
また、カム部材６０は、ターンテーブル９１を持ち上げる機能、第１スライダ３０と第２スライダ４０とが開いている状態を維持する機能、およびガイドアーム５０を退避させる機能のうち少なくとも１つを備えれば良いが、カム部材６０の代わりの部材を用いて、これらの機能を奏させるように構成しても良い。
【００８７】
また、上述のディスク搬送機構１１は、ディスク再生装置１０以外の装置に適用しても良い。ディスク再生装置１０以外の装置としては、ディスク１２を保持／蓄えるためのストッカ等がある。
【産業上の利用可能性】
【００８８】
本発明のディスク搬送機構およびこのディスク搬送機構を用いたディスク再生装置は、音響機器及び映像再生機器、カーナビゲーション等の情報再生機器の分野において利用することができる。
【図面の簡単な説明】
【００８９】
【図１】本発明の一実施の形態に係るディスク再生装置の内部構成を示す平面図である。
【図２】第１スライダの構成を示す斜視図である。
【図３】第２スライダの構成を示す斜視図である。
【図４】ガイドアームの構成を示す斜視図である。
【図５】カム部材の構成を示す斜視図である。
【図６】図１のディスク再生装置における制御系統を示すブロック図である。
【図７】図１のディスク再生装置において、大径ディスクの挿入開始により、第１レバーおよび第２レバーが回動させられた状態を示す平面図である。
【図８】図１のディスク再生装置において、大径ディスクがターンテーブルに載置させられた状態を示す平面図である。
【図９】図１のディスク再生装置において、小径ディスクの挿入開始状態を示す平面図である。
【図１０】図１のディスク再生装置において、小径ディスクが挿入させられると共に、ボス部材と規制突起とが係合している状態を示す平面図である。
【符号の説明】
【００９０】
１０…ディスク再生装置
１１…ディスク搬送機構
１２ａ…大径ディスク
１２ｂ…小径ディスク
３０…第１スライダ
３１２…ボス部
３２５…規制突起
３４…引っ張りバネ（付勢手段に対応）
３５…第１レバー
３５２…当接ピン（第１当接ピンに対応）
３６，４６…捻りコイルバネ（弾性手段に対応）
３７…駆動ローラ
４０…第２スライダ
４５…第１レバー
４５２…当接ピン（第１当接ピンに対応）
４６…捻りコイルバネ
４７…従動ローラ
５０…ガイドアーム
５２１…ディスクガイド
５３２…ボス部材
５３３…当接壁
６０…カム部材
６２…壁部
６６…カム部
６７…ガイド壁
６８…係合壁
７０…第１検出スイッチ
７１…第２検出スイッチ
８０…ピニオンギヤ
９０…ディスク再生部
９１…ターンテーブル
９２…摺動ピン
１００…制御部
１０１…モータ（駆動手段に対応）
【図１】
2009020956.tif 000003
【図２】
2009020956.tif 000004
【図３】
2009020956.tif 000005
【図４】
2009020956.tif 000006
【図５】
2009020956.tif 000007
【図６】
2009020956.tif 000008
【図７】
2009020956.tif 000009
【図８】
2009020956.tif 000010
【図９】
2009020956.tif 000011
【図１０】
2009020956.tif 000012